(57)【要約】      （修正有）【課題】異なる形式の電池パックを充電できる汎用型充電器を提供すること。【解決手段】多数のプローブ１０を列に並べて一つのモジュールに集結し、プローブ列ごとに検出回路と充電回路に接続し、該検出回路が位置制御回路に双方向接続するとともに、該位置制御回路と検出回路が制御ＩCに接続し、且つ該制御ＩCが充電回路に接続し、制御ＩCで制御することによって、電池パックとプローブモジュール１の相互接触により電池パックが補充すべき電量を検出して充電する。【選択図】図１
0003119532.tif 000002
【実用新案登録請求の範囲】
【請求項１】
多数のプローブを列に並べた後に、
さらにプローブ列を一つのモジュールに集結し、
プローブ列毎に検出回路と充電回路に接続すると共に、前記検出回路が位置制御回路に接続し、
前記位置制御回路と検出回路を制御ＩCに接続し、且つ前記該制御ＩCを充電回路に接続し、
制御ＩCが制御することによって、電池パックとプローブモジュールの相互に接触することで、該プローブが様々の異なる形式の電池パックに充電するように構成したことを特徴とする、
単列式の充電器プローブモジュール。
【請求項２】
前記プローブが、ピン状に設けられ、頂部に貫通孔が設けられているシリンダ内に置き入れ、該プローブの底部にばねがさらに設置され、内部にプローブとばねが設けられている複数のシリンダを台座に結合することを特徴とする、請求項１に記載の単列式の充電器プローブモジュール。
【請求項３】
前記プローブが、シート状に設けられ、頂部に貫通孔が設けられているシリンダ内に置き入れ、該プローブの底部にばねがさらに設置され、内部にプローブとばねが設けられている複数のシリンダを台座に結合することを特徴とする、請求項１に記載の単列式の充電器プローブモジュール。
【請求項４】
前記プローブが、ピン状に設けられ、該プローブの後ろにばね片が連設され、且つ、複数のプローブが台座に貫通し、ばね片の他端が台座に定位、結合されることを特徴とする、請求項１に記載の単列式の充電器プローブモジュール。
【請求項５】
前記プローブが、シート状に設けられ、該プローブの後ろにばね片が連設され、且つ、複数のプローブが台座に貫通し、ばね片の他端が台座に定位、結合され、プローブ列の作製を完成することを特徴とする、請求項１に記載の単列式の充電器プローブモジュール。
【請求項６】
前記ばね片が、曲折部を設け、且つ、前記台座の頂部に大きい孔が設けられ、前記プローブが上下及び前後左右の移動ができるようにすることを特徴とする、請求項４又は請求項５に記載の単列式の充電器プローブモジュール。
【請求項７】
前記検出回路が、位置制御回路を介して検出した電池パックの電極に接触するプローブの数量に充電回路が供給する電力を平均的に配分することを特徴とする、請求項１に記載の単列式の充電器プローブモジュール。
【請求項８】
前記充電回路とプローブとの間に電流保護回路が別に設けられることを特徴とする、請求項１に記載の単列式の充電器プローブモジュール。
【考案の詳細な説明】
【技術分野】
【０００１】
本考案は、単列式の充電器プローブモジュールに係わり、様々な携帯式電子製品の携帯式リチウム電池或いは類似構造の電力補充用の充電器に適応できる単列式の充電器プローブモジュールに関するものである。
【背景技術】
【０００２】
科学技術の進歩に伴い、様々な電子製品が出て来て、生活の便利性が増加されている。現在、最も普通の携帯式電子製品の一つである携帯電話を言えば、携帯電話の所有率が殆ど一人一機の盛んな場面に達している。
【考案の開示】
【考案が解決しようとする課題】
【０００３】
携帯電話を購入する際に、電池パックのほかに充電器（急速充電器或いは卓上充電器）も付いている。電池パックの電力を使い果たす時に何時でも電力を補充できるが、異なるメーカ、或いは同じメーカでも型番が異なる携帯電話では、その電池パックの形式が異なるため、携帯電話を交換すると元の充電器が使用できなくなり、充電器が損害していなくても他の人に譲ったり捨てるようなことになってしまう。
【０００４】
また、坊間には汎用型充電器が既に出て来ても、該汎用型充電器が使用者により充電端子の位置や、電圧や電流の大きさ等までの規格を自ら調整した後でなければ充電できず、電気に苦手な使用者にとっては大変不便である。
【０００５】
本考案は、上記構造の欠点を鑑み、該充電器が様々な携帯式電子製品の電池パックに用い、汎用型な充電器が形成できる単列式の充電器プローブモジュールを提供するためになされたものである。
【課題を解決するための手段】
【０００６】
本考案の主な目的は、様々な携帯式電子製品の電池パックに用いることが出来る単列式の充電器プローブモジュールを提供することにある。
【０００７】
前記目的を達成するために、本考案による設計した単列式の充電器プローブモジュールは、多数のプローブを列に並べた後に、さらにプローブ列を一つのモジュールに集結し、プローブ列ごとが検出回路と充電回路に接続し、該検出回路が位置制御回路に双方向接続するとともに、該位置制御回路と検出回路が制御ＩCに接続し、且つ該制御ＩCが充電回路に接続、制御することによって、電池パックとプローブモジュールの相互接触で、該プローブは、該電池パックが補充すべき電量を検出でき、該充電器が様々の異なる形式の電池パックに充電でき、汎用型充電器を形成する。
【０００８】
即ち、本願の第1考案は、多数のプローブを列に並べた後に、さらにプローブ列を一つのモジュールに集結し、プローブ列毎に検出回路と充電回路に接続すると共に、前記検出回路が位置制御回路に接続し、前記位置制御回路と検出回路を制御ＩCに接続し、且つ前記該制御ＩCを充電回路に接続し、制御ＩCが制御することによって、電池パックとプローブモジュールの相互に接触することで、該プローブが様々の異なる形式の電池パックに充電するように構成したことを特徴とする、単列式の充電器プローブモジュールを提供する。
本願の第２考案は、前記プローブが、ピン状に設けられ、頂部に貫通孔が設けられているシリンダ内に置き入れ、該プローブの底部にばねがさらに設置され、内部にプローブとばねが設けられている複数のシリンダを台座に結合することを特徴とする、前記第１考案に記載の単列式の充電器プローブモジュールを提供する。
本願の第３考案は、前記プローブが、シート状に設けられ、頂部に貫通孔が設けられているシリンダ内に置き入れ、該プローブの底部にばねがさらに設置され、内部にプローブとばねが設けられている複数のシリンダを台座に結合することを特徴とする、前記第１考案に記載の単列式の充電器プローブモジュールを提供する。
本願の第４考案は、前記プローブが、ピン状に設けられ、該プローブの後ろにばね片が連設され、且つ、複数のプローブが台座に貫通し、ばね片の他端が台座に定位、結合されることを特徴とする、前記第１考案に記載の単列式の充電器プローブモジュールを提供する。
本願の第５考案は、前記プローブが、シート状に設けられ、該プローブの後ろにばね片が連設され、且つ、複数のプローブが台座に貫通し、ばね片の他端が台座に定位、結合され、プローブ列の作製を完成することを特徴とする、前記第１考案に記載の単列式の充電器プローブモジュールを提供する。
本願の第６考案は、前記ばね片が、曲折部を設け、且つ、前記台座の頂部に大きい孔が設けられ、前記プローブが上下及び前後左右の移動ができるようにすることを特徴とする、前記第４又５考案に記載の単列式の充電器プローブモジュールを提供する。
本願の第７考案は、前記検出回路が、位置制御回路を介して検出した電池パックの電極に接触するプローブの数量に充電回路が供給する電力を平均的に配分することを特徴とする、前記第１考案に記載の単列式の充電器プローブモジュールを提供する。
本願の第８考案は、前記充電回路とプローブとの間に電流保護回路が別に設けられることを特徴とする、前記第１考案に記載の単列式の充電器プローブモジュールを提供する。
【考案の効果】
【０００９】
本考案の装置は以下のような実用利点がある。
１．該プローブモジュールにより作製された充電器は、異なる形式の電池パックを共に充電できて、充電器が智慧型汎用充電器とすることができる。
２．本考案のプローブモジュールは、一回に一つの電池パックにしか充電できないことに限られなく、プローブモジュールに接続する回路により、幾つかの電池パックが充電しようとする電圧及び電流量を検出し、本考案の充電器が一回に多数の電池パックを充電できる。
３．本考案は、従来の汎用型充電器が使用者より自ら調整しなければならない問題を解決でき、様々な形式の電池パックの充電に適合できる。
【考案を実施するための最良の形態】
【００１０】
本考案の特徴及び具体的な実施例は、以降の図面参照した詳しい説明により理解することができる。
図１及び図５を参照すると、本考案の単列式の充電器プローブモジュールは、主に、多数のプローブ１０を列状に並べ、さらにこれらの列状のプローブ１０群を台座１３に結合して、一つのモジュール１を形成する。プローブ１０毎にシート状或いはピン状（図3を併せて参照する）に設けてあれば良い。該プローブ１０は頂部に貫通孔が設けられているシリンダ１２内に収容されていて、該プローブ１０の底部にばね１１が設置されている。内部にプローブ１０とばね１１が設けた五つのシリンダ１２を台座１３に結合して、プローブモジュール１の組立を完成する。
【００１１】
または図４及び図６に示すように、シート状或いはピン状のプローブ１０をシート状のばね片１００と組み合わせてＬ型に設けても良い。該プローブ１０の下部にシート状のばね片１００の先端部を結合すると共に、シート状のばね片１００の基端部を台座１３に結合する。
【００１２】
さらに、図７を参照すると、シート状或いはピン状のプローブ１０は、曲折部を有するばね片１０１に接続してもよい。プローブ１０は台座１３の大きい孔１３０に貫通し、また、ばね片１０１の基端部を台座１３に結合すれば、該プローブ１０が上下移動することの外に、前後左右の移動も可能に構成する。
【００１３】
図２に示すように、該プローブモジュール１上に配列したプローブ10は列毎に、検出回路２０と充電回路５０に接続する。該プローブ１０は列毎に、検出回路２０と双方向に接続される。該検出回路２０は位置制御回路３０に双方向に接続される。更に、該位置制御回路３０と検出回路２０が、制御ＩC４０に双方向に接続される。該制御ＩC４０は充電回路５０に接続して、制御すると共に、該充電回路５０とプローブ１０との間に、電流保護回路６０が別途に設けられる。
【００１４】
使用する時には、電源７０が位置制御回路３０、制御ＩC４０及び充電回路５０に電力を供給し、電池パック８０とプローブモジュール１とが接触して充電しようとする。このときに、制御ＩC４０が検出回路２０と位置制御回路３０を起動させ、電池パック８０の電圧及び電流を検出する。更に電池パック８０の２つの電極に接触するプローブ１０の位置及び数量を検出する。プローブ１０の位置及び数量を得たときに、該検出回路２０が、電池パック８０の電極に接触するプローブ１０の数量に充電回路５０が供給する電力を平均的に配分し、電流保護回路６０を介して電池パック８０の電極に接触するプローブ１０に平均的に電力を伝送して、異なる形式の電池パック８０であっても充電できるようにする。
【００１５】
また、該プローブモジュール１が、一回に一つの電池パックのみに充電できことに限定されず、二つの電池パック８０を同時に充電するようにしてもよい。二つの電池パック８０を同時に充電しようとするときは、二つの電池パック８０をプローブモジュール１に接触させ、検出回路２０が二つの電池パック８０の要望する電圧及び電流を検出し、更に二つの電池パック８０の電極に接触するプローブ１０の位置及び数量を検出し、二つの電池パック８０に接触するプローブ１０の位置及び数量を得たときに、該検出回路２０が、二つの電池パック８０の電極に接触するプローブ１０の数量に充電回路５０が二つの電池パック８０に供給しようとする電力を夫々平均的に配分し、電流保護回路６０を介して電池パック８０の電極に接触するプローブ１０に平均的に電力を伝送すればよい。
【００１６】
以上の記載は単に本考案の好ましい実施例に過ぎなく、本考案の特徴を限定するものではなく、いずれの当該分野における通常の知識を有する者が本考案の分野の中で、適当な変換や修飾等が本考案の主張範囲内に含まれるべきことは言うまでもないことである。
【図面の簡単な説明】
【００１７】
【図１】本考案による実施例の斜視外観図である。
【図２】本考案による実施例の回路構造のブロック図である。
【図３】本考案によるプローブの第一応用例の断面図である。
【図４】本考案によるプローブの第一応用例のもう一つの態様の断面図である。
【図５】本考案によるプローブの第二応用例の断面図である。
【図６】本考案によるプローブの第二応用例のもう一つの態様の断面図である。
【図７】本考案によるプローブの第三応用例の断面図である。
【符号の説明】
【００１８】
１・・・・・・プローブモジュール
１０・・・・・プローブ
１１・・・・・ばね
１２・・・・・シリンダ
１３・・・・・台座
２０・・・・・検出回路
３０・・・・・位置制御回路
４０・・・・・制御ＩC
５０・・・・・充電回路
６０・・・・・電流保護回路
７０・・・・・電源
８０・・・・・電池パック
１００・・・・ばね片
１０１・・・・ばね片
【図１】
0003119532.tif 000003
【図２】
0003119532.tif 000004
【図３】
0003119532.tif 000005
【図４】
0003119532.tif 000006
【図５】
0003119532.tif 000007
【図６】
0003119532.tif 000008
【図７】
0003119532.tif 000009